(57)【要約】【課題】下方への入力荷重が加わる突出部を有する扉体のがたつきを軽減することのできる遊技機を提供する。【解決手段】遊技機本体１０の前面側に扉体５０が開閉可能に設けられる。扉体５０の前面側には下方への入力荷重が加わる突出部６０が突出される。遊技機本体１０と扉体５０との間に補強手段７０を設ける。扉体５０の突出部６０に下方への入力荷重が加わるときには、その荷重が補強手段７０を介して遊技機本体１０で受け止められるので、下方への入力荷重が加わる突出部６０を有する扉体５０のがたつきを軽減することができる。【選択図】      図４
2004195001.tif 000002
【特許請求の範囲】
【請求項１】
遊技機本体の前面側に扉体が開閉可能に設けられ、該扉体の前面側には下方への入力荷重が加わる突出部が突出されている遊技機において、前記遊技機本体と前記扉体との間に補強手段を設けたことを特徴とする遊技機。
【発明の詳細な説明】
【０００１】
【発明の属する技術分野】
本発明は、パチンコ機、スロットマシン、所定数の球を一単位としてスロットマシンと同様の遊技を行なう遊技機等の遊技機に関する。
【０００２】
【従来の技術】
従来の遊技機には、遊技機本体の前面側に扉体がヒンジ装置を介して開閉可能に設けられており、該扉体の前面側に上皿部が突出しているものがある（例えば、特許文献１等参照。）。
【０００３】
【特許文献１】
特開２０００−７０４３５号公報（第３−６頁、図１，３参照）
【０００４】
【発明が解決しようとする課題】
上記した遊技機においては、扉体（上皿支持枠）には、上皿部に貯留されたパチンコ球の下方への入力荷重や、遊技機に面して着座した遊技者が上皿部に体重をかけて立ち上がろうとする時の下方への入力荷重等が加わる。さらに、上皿部には、遊技にかかる操作ボタンが配置されているため、該操作ボタンの操作にかかる下方への入力荷重も加わる。このように上皿部に下方への入力荷重が加わると、ヒンジ装置にかかる応力集中が増大し、これにより扉体の「がたつき」が増長されるという問題があった。なお、反ヒンジ側において、遊技機本体に扉体（上皿支持枠）を閉鎖状態に施錠するための施錠装置は、扉体を補強するものではなく、また突出部の後方部位に配置されたものでもないので、本発明が対象とする補強手段とは相違している。
【０００５】
本発明が解決しようとする課題は、下方への入力荷重が加わる突出部を有する扉体のがたつきを軽減することのできる遊技機を提供することにある。
【０００６】
【課題を解決するための手段】
前記した課題を解決するために、本発明の手段１にかかる遊技機は、
「遊技機本体の前面側に扉体が開閉可能に設けられ、該扉体の前面側には下方への入力荷重が加わる突出部が突出されている遊技機において、
前記遊技機本体と前記扉体との間には、前記突出部の後方部位において該扉体を補強するための補強手段を設け、
前記補強手段は、前記遊技機本体に設けられた支持部と、前記扉体に設けられかつ前記扉体を閉鎖したときに前記支持部上に係合する載置部とにより構成されていることを特徴とする遊技機。」
を要旨とするものである。
このように構成すると、開放された扉体を閉鎖したときには、該扉体の突出部の後方部位に配置された補強手段の支持部上に載置部が係合される。これにより、扉体の突出部に下方への入力荷重が加わるときには、その荷重が補強手段の支持部と載置部の係合を介して遊技機本体で受け止められる。したがって、下方への入力荷重が加わる突出部を有する扉体のがたつきを軽減することができる。
【０００７】
本発明の手段２にかかる遊技機は、
「前記扉体には、前記遊技機本体に設けられた遊技盤の遊技領域を視認可能とする遊技領域視認窓が設けられ、
前記突出部には、遊技にかかる操作部材が配置されていることを特徴とする前記手段１に記載の遊技機。」
を要旨とするものである。
このように構成すると、突出部及び遊技領域視認窓が設けられた扉体における該突出部に操作部材が配置されているので、斬新な遊技機を提供することができる。詳しくは、従来の遊技機（前記特許文献１参照）では、遊技領域視認窓を設けた扉体（ガラス枠）と、突出部（上皿部）を突出しかつその突出部に操作部材を配置した扉体（上皿支持枠）とは異なる扉体であった。このような従来の遊技機と比べて、突出部及び遊技領域視認窓が設けられた扉体における該突出部に操作部材が配置された遊技機は、斬新な遊技機ということができる。
【０００８】
本発明の手段３にかかる遊技機は、
「前記支持部又は前記載置部が他方に向けて突出するアーム状に形成されていることを特徴とする前記手段１又は２に記載の遊技機。」
を要旨とするものである。
このように構成すると、支持部又は載置部がアーム状であれば、他方が込み入った構成となっていても該他方に対して簡単に係合させることができる。
【０００９】
本発明の手段４にかかる遊技機は、
「前記支持部と前記載置部との少なくとも一方の係合部が樹脂成形品で形成されていることを特徴とする前記手段１〜３のいずれか１つに記載の遊技機。」
を要旨とするものである。
このように構成すると、樹脂成形品の潤滑性により、扉体の開閉にともなう支持部と載置部との摺動による摩擦を軽減することができる。
【００１０】
本発明の手段５にかかる遊技機は、
「前記支持部又は前記載置部の少なくとも一方の係合部には、載置部を支持部上に摺動案内するための摺動案内面が形成されていることを特徴とする前記手段１〜４のいずれか１つに記載の遊技機。」
を要旨とするものである。
このように構成すると、開放された扉体の閉鎖時には、摺動案内面により載置部が支持部上に案内されるので、支持部に載置部をスムーズに係合させることができる。
【００１１】
【発明の実施の形態】
本発明の一実施の形態を図面にしたがって説明する。本実施の形態では、パチンコ球（単に球という）を使用してスロットマシンと同様の遊技を行う遊技機について例示する。また、本明細書では、遊技者に面する側を前面側、反対側を後側面と称する。遊技機の概要を説明する。図１に示すように、遊技機は、遊技機本体１０と開閉扉５０とを備えている。説明の都合上、遊技機本体１０、開閉扉５０の順で説明する。
【００１２】
遊技機本体１０を説明する。図１に示すように、遊技機本体１０は、外枠１１と前枠１２とにより構成されている。外枠１１は、ほぼ方形枠状に形成されている。外枠１１の前面側の下端部には、前枠１２を受ける受け板１３が設けられている。また、前枠１２は、ほぼ方形枠状に形成されており、外枠１１の前面側に前枠ヒンジ装置（図示省略）を介して開閉可能に装着されている。前枠１２の自由端側は、外枠１１に対して施錠装置１５により閉鎖した状態（図２及び図４参照）に施錠可能になっている。前枠１２の右上部には、音声、音楽、効果音等を発するスピーカ１６が配設されている（図１参照）。
【００１３】
図１に示すように、前記前枠１２の前面側の下部には、上皿１７及び下皿１８が装着されている。上皿１７内に球（図示省略）が保留され、また下皿１８内には、上皿１７からオバーフローした球が貯留される。上皿１７の前面側の自由端部には、貯留精算ボタン２０が配置されている。貯留精算ボタン２０を操作すると、球取込装置２１（図３参照）にクレジットされている球が下皿１８内に返却される。球取込装置２１は、前記前枠１２（図１参照）の後面側の下部に配置されており、前記上皿１７内から所定数（例えば５個）の球を一単位として単位毎の球を遊技機内に取込むように構成されている。また、下皿１８の前面側の自由端部には、返却ボタン２２が配置されている。返却ボタン２２を操作することにより、上皿１７及び球取込装置２１内に収容されていた球が下皿１８上へ返却されるようになっている。
【００１４】
図４に示すように、前記前枠１２の後側（図４において左側）には、ほぼ方形枠状に形成された装着枠２４が脱着可能に装着されている。装着枠２４の枠内には、遊技盤２５が後方から着脱可能に嵌込まれている。遊技盤２５は、装着枠２４に対して機構盤３０（後述する）により固定されている。遊技盤２５の前面側には、図柄表示装置２６が装着されている。図１に示すように、図柄表示装置２６は、第１〜第３の計３つの表示部材２７，２８，２９を備えている。各表示部材２７，２８，２９は、例えば無端状の回転ベルト、回転リール、回転ドラム等からなり、図示しないモータによりそれぞれ回転可能になっている。各表示部材２７，２８，２９の表面側には、所定の図柄が所定間隔で施されている。
【００１５】
前記遊技盤２５（図４参照）の前面側には、図柄表示装置２６の左右両側方に隣接して縦方向に並ぶ適数個の有効ランプ３２が、点灯あるいは点滅可能に配置されている（図３参照）。該遊技盤２５の下部の前面側には、左右方向に並ぶクレジット表示器３３、ゲーム数表示器３４、ユニット数表示器３５が配設されている（図１参照）。クレジット表示器３３はクレジット数を表示し、またゲーム数表示器３４はボーナスゲームにおける消化ゲーム数を表示し、またユニット数表示器３５は払出しを行うユニット数を表示する。また、遊技盤２５の右肩部には、図柄を用いる表示によってビッグボーナスゲームや期待度等を表示する液晶表示器３７が配設されている（図１参照）。
【００１６】
図４に示すように、前記遊技盤２５の後面側には、前記図柄表示装置２６の後側部を覆うように裏カバー体３９が配設されている。裏カバー体３９の後面側には、副基板ボックス４０と主基板ボックス４１が上下に並んで配設されている。副基板ボックス４０内には、前記スピーカ１６（図２参照）を作動制御するための音声制御基板や、前記有効ランプ３２（図３参照）、演出ランプ５９（後述する）及びその他のランプ、ＬＥＤ等の発光体（図示省略）を点滅制御するためのランプ制御基板等（図示省略）が収納されている。また、主基板ボックス４１内には、遊技機の遊技の制御を行うための主制御基板（図示省略）が収納されている。
【００１７】
図４に示すように、前記装着枠２４の後面側には、ほぼ方形枠状をなしかつ球を誘導する球通路（図示省略）を有する機構盤３０が機構盤ヒンジ装置（図示省略）を介して開閉可能に装着されている。機構盤３０の自由端側は、閉止具（図示省略）によって装着枠２４に対して閉鎖した状態に保持されるようになっている。機構盤３０は、前記遊技盤２５の周縁部を装着枠２４の枠内の周縁部に対して押圧することによって、該遊技盤２５を装着枠２４に固定している。
【００１８】
前記機構盤３０には、球タンク４３及びタンクレール４４等が装着されている。タンクレール４４は、球を貯留した球タンク４３から流下する球を球払出装置（図示省略）へ誘導する。その球払出装置は、機構盤３０に装着されており、払出制御基板（図示省略）を含む制御手段により駆動制御されることによりタンクレール４４から流下した球を賞球数あるいは貸球数に応じて前記上皿１７（図２参照）内へ払出す。また、機構盤３０には、払出用制御基板（図示省略）、電源基板（図示省略）等を収納した基板ボックス４５が装着されている（図４参照）。
【００１９】
次に、開閉扉５０を説明する。図１に示すように、開閉扉５０は、その主体をなす樹脂製の扉主体５１と、前面側に装飾が施されかつ扉主体５１にその前面側を覆うように装着された装飾部材５２と、扉主体５１の後面側に装着されかつ該扉主体５１を補強する金属製の強化部材５３とにより、ほぼ方形枠状に形成されている。強化部材５３が前記遊技機本体１０の前枠１２の前面側に扉ヒンジ装置４８を介して連結されており、その扉ヒンジ装置４８により開閉扉５０が開閉可能になっている。開閉扉５０の自由端側は、前枠１２に対して前記施錠装置１５により閉鎖した状態に施錠可能になっている。なお、開閉扉５０は、本明細書でいう「扉体」に相当する。
【００２０】
図３に示すように、前記装飾部材５２には、その中央部のほぼ楕円状の遊技領域視認窓５５と、その遊技領域視認窓５５の右上方に位置するほぼ四角形状の液晶表示視認窓５７とが形成されている。扉主体５１及び強化部材５３には、遊技領域視認窓５５及び液晶表示視認窓５７のそれぞれの後方を全体的に開放するほぼ四角形状の窓（符号省略）が形成されている。扉主体５１には、遊技領域視認窓５５を透視可能に覆う遊技領域透視板５６、及び、液晶表示視認窓５７を透視可能に覆う液晶表示透視板５８が装着されている。各透視板５６，５８は、透明ガラス板、透明樹脂板等の透視材で形成されている。
【００２１】
図３に示すように、遊技者は、前記遊技領域視認窓５５の遊技領域透視板５６を透して、遊技盤２５の図柄表示装置２６の各表示部材２７，２８，２９、有効ランプ３２、クレジット表示器３３、ゲーム数表示器３４及びユニット数表示器３５等を視認することができる。また、遊技者は、前記液晶表示視認窓５７の液晶表示透視板５８を透して、遊技盤２５の液晶表示器３７を視認することができる。また、前記装飾部材５２の左右両側部には、点灯又は点滅する演出ランプ５９が配設されている。
【００２２】
図２に示すように、前記開閉扉５０における装飾部材５２の前面側下部には、前方へ突出するほぼボックス状の突出部６０が突出されている（図４参照）。突出部６０の上面には、クレジットボタン６２とベッドボタン６３が配置されている。クレジットボタン６２を操作することにより、前記球取込装置２１（図３参照）によって上皿１７内の球が所定数を一単位として１ユニットずつ遊技機内に取込まれる。また、ベッドボタン６３を操作することにより、賭け数に応じたラインの有効ランプ３２が点灯あるいは点滅する（図３参照）。
【００２３】
図３に示すように、前記突出部６０の前面側には、始動レバー６５及び第１〜第３の停止ボタン６６，６７，６８が配置されている。始動レバー６５を操作することにより前記図柄表示装置２６の各表示部材２７，２８，２９がそれぞれ回転し、続いて各停止ボタン６６，６７，６８を操作することにより各表示部材２７，２８，２９が停止される。そして、各表示部材２７，２８，２９の停止時の図柄による図柄列が賭け数に応じたライン上で所定の当たり図柄列となったときに、前記球払出装置によって所定数の賞球が上皿１７内に払出される。なお、クレジットボタン６２、ベッドボタン６３、始動レバー６５及び第１〜第３の停止ボタン６６，６７，６８は、本明細書でいう「遊技にかかる操作部材」に相当する。
【００２４】
次に、前記開閉扉５０を補強するための補強手段７０を説明する。図４に示すように、補強手段７０は、前記開閉扉５０の突出部６０の後方部位において該開閉扉５０を補強するためのもので、前記した遊技機本体１０と開閉扉５０との間に設けられている。補強手段７０は、前記遊技機本体１０の前枠１２の前面側に設けられた支持部７１と、前記開閉扉５０の扉主体５１の後面側に設けられた載置部７３とで構成されている。
【００２５】
図４に示すように、前記支持部７１は、前記前枠１２の前面側に対して左右方向（図４において紙面表裏方向）に延びる横木状に設けられている。また、図１に示すように、前記上皿１７の上縁１７ａは、中央部を低くしかつ左右両端部を高くするように形成されている。そして、支持部７１の左右両端部が、上皿１７の当該端部により隠蔽されている。また、支持部７１の中央部が、前記開閉扉５０を開放したときに上皿１７の上縁１７ａの中央部上に露出し、また開閉扉５０を閉鎖したときに該開閉扉５０の当該部分により隠蔽されるようになっている。また、支持部７１は、樹脂製で、その上面に上方に指向する係合受け面７１ａを有している（図５参照）。なお、係合受け面７１ａを有する支持部７１は、本明細書でいう「係合部」に相当する。
【００２６】
図４に示すように、前記載置部７３は、前記突出部６０の後面側に配置されている。突出部６０の後面側は、前記強化部材５３よりも下方へ張り出している（図１参照）。図７に示すように、載置部７３は、ベース部材７４と係合部材７７とにより構成されている。ベース部材７４は、金属製板材からなるほぼ四角形状をなしており、その後面側にほぼＬ字板状の金属製の取付片７５が溶接、接着等に取り付けられている。ベース部材７４は、突出部６０の後面側に対して、例えばねじ（符号省略）により取り付けられている（図１参照）。また、図７に示すように、取付片７５の後方へ突出する後部７５ａは、縦向きでかつ裏方へ向けて延びている。また、係合部材７７は、樹脂製で、ほぼブロック状に形成されている。係合部材７７は、それに形成された切り込み状の溝７７ｃを利用して取付片７５の後部７５ａの下側隅角部に係合され、かつ例えばねじとナットとによるねじ手段７８により取り付けられている（図６参照）。図５に示すように、係合部材７７は、その下方に指向する係合載せ面７７ａを有している。なお、係合載せ面７７ａを有する係合部材７７は、本明細書でいう「係合部」に相当する。係合部材７７における先端部の下側の隅角部には、面取り状をなし、かつ下縁部が係合載せ面７７ａに連続する摺動案内面７７ｂが形成されている（図５参照）。
【００２７】
上記した補強手段７０を備えた遊技機において、図１に示すように、開放された開閉扉５０を閉鎖すると、補強手段７０の支持部７１の係合受け面７１ａ上に、載置部７３の係合部材７７の係合載せ面７７ａが載置されるように、載置部７３が支持部７１上に摺動して係合される（図４、及び、図５中の二点鎖線７７参照）。なお、この状態で、開閉扉５０は、施錠装置１５（図１参照）によって閉鎖した状態に施錠される。
【００２８】
上記したように、開閉扉５０を閉鎖したときに補強手段７０の支持部７１と載置部７３が係合される。これにより、開閉扉５０の突出部６０に下方への入力荷重Ｆ（図４参照）が加わるときには、その荷重Ｆが補強手段７０の支持部７１と載置部７３の係合を介して、前枠１２で受け止められる。該前枠１２は、外枠１１の受け板１３で受け止められる。すなわち、開閉扉５０の突出部６０に加わる下方への入力荷重Ｆは、補強手段７０の支持部７１と載置部７３の係合を介して、前枠１２と外枠１１で構成される遊技機本体１０で受け止められる。
したがって、下方への入力荷重Ｆが加わる突出部６０を有する開閉扉５０のがたつきを軽減することができる。また、例えば、突出部６０から離れた開閉扉５０の後方部位に補強手段７０を配置する場合に比べると、開閉扉５０にかかる下方への入力荷重Ｆを効果的に受止めることができる。
【００２９】
また、前記施錠装置１５（図１参照）を解錠した上で、開閉扉５０を開放すれば、前記閉鎖時とは逆に、支持部７１上から載置部７３が外れることにより、前記係合が解除される（図１、及び、図５中の実線７７参照）。
【００３０】
また、突出部６０及び遊技領域視認窓５５が設けられた開閉扉５０における該突出部６０に操作部材、すなわちクレジットボタン６２、ベッドボタン６３、始動レバー６５及び第１〜第３の停止ボタン６６，６７，６８が配置されているので、斬新な遊技機を提供することができる。詳しく説明すると、従来の遊技機（前記特許文献１参照）では、遊技領域視認窓を設けた扉体（ガラス枠）と、突出部（上皿部）を突出しかつその突出部に操作部材を配置した扉体（上皿支持枠）とは異なる扉体で構成されていた。このような従来の遊技機と比べると、突出部６０及び遊技領域視認窓５５が設けられた開閉扉５０における該突出部６０に前記操作部材（６２，６３，６５〜６８）が配置された遊技機（図２参照）は、斬新な遊技機ということができる。
【００３１】
また、載置部７３の係合部材７７が他方に向けて突出するアーム状に形成されている（図５参照）。これにより、仮に支持部７１が込み入った構成となっていても、載置部７３の係合部材７７を支持部７１に対して簡単に係合させることができる。
【００３２】
また、支持部７１と載置部７３（詳しくは係合部材７７）が樹脂成形品で形成されている。これにより、樹脂成形品の潤滑性により、開閉扉５０の開閉にともなう支持部７１と載置部７３の係合部材７７との摺動による摩擦を軽減することができる。
【００３３】
また、載置部７３の係合部材７７には、該載置部７３を支持部７１上に摺動案内するための摺動案内面７７ｂが形成されている（図５参照）。これにより、開放された開閉扉５０の閉鎖時には、摺動案内面７７ｂにより載置部７３が支持部７１の係合受け面７１ａ上に案内されるので、支持部７１に載置部７３をスムーズに係合させることができる。このことは、開閉扉５０の開放時に、前枠１２に対する開閉扉５０の組付誤差や寸法誤差、扉ヒンジ装置４８のがたつき等によって、支持部７１の係合受け面７１ａより係合部材７７の係合載せ面７７ａが下方へずれた場合等に有効である。
【００３４】
本発明は前記実施の形態に限定されるものではなく、本発明の要旨を逸脱しない範囲における変更が可能である。例えば、本発明は、上記実施の形態の遊技機に限らず、パチンコ機、スロットルマシン等の遊技機にも適用することができる。また、本発明は、上記した開閉扉５０の他、遊技機本体の前面側に開閉可能に設けられかつ前面側に下方への入力荷重が加わる突出部が突出されている扉体、例えば、前枠、あるいは前記特許文献１における上皿部等にも適用することが可能である。これとともに、開閉扉５０に設けた遊技領域視認窓５５の有無は本願発明の要旨を左右するものではない。また、開閉扉５０は、上記実施の形態では遊技機本体１０に扉ヒンジ装置４８を介して回動により開閉可能に設けたが、遊技機本体１０に対して平行移動とスライドとの複合動作によって開閉可能とすることも考えられる。また、開閉扉５０の突出部６０における操作部材（６２，６３，６５〜６８）の有無は本願発明の要旨を左右するものではない。また、上記実施の形態では、載置部７３（詳しくは係合部材７７）を前後方向に延びるアーム状に突出したが、支持部７１を前後方向に延びるアーム状に突出し、そのアーム状の支持部７１の先端部上に載置部７３を係合可能に形成してもよい。また、上記実施の形態では、支持部７１と載置部７３（詳しくは係合部材７７）の両方を樹脂成形品としたが、少なくとも一方部は金属製、あるいはその他の樹脂成形品以外の材料に代えることができる。また、上記実施の形態では、載置部７３の係合部材７７に、載置部７３を支持部７１上に案内する摺動案内面７７ｂを形成したが、その摺動案内面７７ｂは支持部７１に設けることができる。また、摺動案内面７７ｂは、Ｒ面に代えて所定の傾斜角で傾斜する平坦な傾斜面によって形成することができる。
【００３５】
【発明の効果】
以上述べたように、本発明の遊技機によれば、扉体の突出部に下方への入力荷重が加わるときには、その荷重が補強手段の支持部と載置部の係合を介して遊技機本体で受け止められるから、下方への入力荷重が加わる突出部を有する扉体のがたつきを軽減することができる。
【図面の簡単な説明】
【図１】本発明の一実施の形態に係る遊技機を開閉扉の開放状態で示す正面図である。
【図２】遊技機を示す斜視図である。
【図３】遊技機を示す正面図である。
【図４】図３のＩＶ−ＩＶ線矢視断面図である。
【図５】補強手段を示す説明図である。
【図６】図５のＶＩ−ＶＩ線矢視断面図である。
【図７】載置部を分解状態で示す説明図である。
【符号の説明】
１０  遊技機本体
５０  開閉扉（扉体）
５５  遊技領域視認窓
６０  突出部
６２  クレジットボタン（操作部材）
６３  ベッドボタン（操作部材）
６５  始動レバー（操作部材）
６６  第１の停止ボタン（操作部材）
６７  第２の停止ボタン（操作部材）
６８  第３の停止ボタン（操作部材）
７０  補強手段
７１  支持部
７１ａ  係合受け面
７３  載置部（係合部）
７７  係合部材（係合部）
７７ａ  係合載せ面
７７ｂ  摺動案内面
【図１】
2004195001.tif 000003
【図２】
2004195001.tif 000004
【図３】
2004195001.tif 000005
【図４】
2004195001.tif 000006
【図５】
2004195001.tif 000007
【図６】
2004195001.tif 000008
【図７】
2004195001.tif 000009